(57)【要約】【課題】  表示板のサイズを棚板の前端面の面積に左右されることなく大きいものにすることで、表示板の表示面積を確保すると共に、表示板を使用しない状態においても美観を損なうことのない商品陳列棚の表示板取付装置を提供すること。【解決手段】  表示板１８の上端縁および下端縁を上下の棚板５の溝条５ｄ、５ｅに嵌合させ挟持させることができるので、表示板１８を棚板５間の前面に安定して設けることができ、表示板１８の大きな表示面積を利用して多様な表示を実現できるとともに、上下の棚板５間に表示板１８を設けない場合においても、商品陳列棚の正面からの美観が損なわれることがない。【選択図】  図６
2006025955.tif 000002
【特許請求の範囲】
【請求項１】
互いに平行な複数の支柱に、上下複数段の棚板を支持させた商品陳列棚の表示板取付装置において、少なくとも上下に対向する一対の棚板について、上位置の棚板の前端部には、下方が開口する溝条が形成され、下位置の棚板の前端部には、上方が開口する溝条を設けるとともに、該上下の溝条に表示板の上端縁および下端縁を嵌合させたことを特徴とする商品陳列棚の表示板取付装置。
【請求項２】
前記上位置の棚板の前端面には、前記下方に開口する溝条が形成された支持部材を設け、前記下位置の棚板の前端面には、前記上方に開口する溝条が形成された支持部材を設けた請求項１に記載の商品陳列棚の表示板取付装置。
【請求項３】
前記上位置および下位置の棚板の前端面には上下に開口する溝条が形成される請求項１に記載の商品陳列棚の表示板取付装置。
【請求項４】
前記支持部材の上面を棚板の上面と面一に、前記支持部材の下面を棚板の下面よりも下方に突出させ、前記上下の溝条間と前記棚板の前端面をダボで結合させた請求項２または３に記載の商品陳列棚の表示板取付装置。
【請求項５】
互いに平行な複数の支柱に、上下複数段の棚板を支持させた商品陳列棚の表示板取付装置において、前記棚板の前端面には、下方が開口する溝条が形成された支持部材を設けるとともに、該溝条に表示板の上端縁を嵌合させ固定したことを特徴とする商品陳列棚の表示板取付装置。
【請求項６】
前記表示板の下端縁に嵌合する上方が開口する溝条と、下方が開口する溝条が形成された連結部材を、前記表示板の下端縁に保持させた請求項５に記載の商品陳列棚の表示板取付装置。
【請求項７】
前記支持部材の上面を棚板の上面と面一に、前記支持部材の下面を棚板の下面よりも下方に突出させ、前記上下の溝条間と前記棚板の前端面をダボで結合させた請求項５または６に記載の商品陳列棚の表示板取付装置。
【発明の詳細な説明】
【技術分野】
【０００１】
本発明は、互いに平行な複数の支柱に、上下複数段の棚板を支持させた商品陳列棚の表示板取付装置に関する。
【背景技術】
【０００２】
従来より、商品陳列棚の棚板に載置される商品の商品名・値段等が表示される表示板は、表示板を棚板の前端面にネジ固定された取付板の上下に形成される係止片間に係合させることで取り付けが行われている（例えば、特許文献１参照）。そして、取付板の固定手段としては、ネジを用いずに、取付板（プライスカード保持板）の背面に係止片を設け、予め棚板の前端面に形成された係止孔に係止片を係合させ、この取付板の前面に表示板を取り付けていた（例えば、特許文献２参照）。
【０００３】
【特許文献１】実公平７−３９７１号公報（第２頁左欄、第２図）
【特許文献２】特許第２７５７２５４号公報（第２頁左欄、第１図）
【発明の開示】
【発明が解決しようとする課題】
【０００４】
しかしながら、これら従来の表示装置は、使用される表示板のサイズが、棚板の前端面の面積や、表示板を挟持する支持部材の大きさによっておのずと制限されてしまうことから、表示内容も価格あるいは商品名等に限定されたものであり、多くのことを表示しようとすれば、字や図形の大きさを小さくしなければならなかった。
【０００５】
また、表示板を取り付けない場合には、表示板用の係合部が露呈してしまい美観上の観点から好ましいものでなく、そこで表示板が必要でない場合にプライスカード保持板そのものを取り外すことも考えられるが、今度は棚板前端面の係止孔等が外部に露見してしまうことから、プライスカード保持板を取り付けたままの状態にしておくことが多かった。
【０００６】
本発明は、このような問題点に着目してなされたもので、表示板のサイズを棚板の前端面の面積に左右されることなく大きいものにすることで、表示板の表示面積を確保すると共に、表示板を使用しない状態においても美観を損なうことのない商品陳列棚の表示板取付装置を提供することを目的とする。
【課題を解決するための手段】
【０００７】
上記課題を解決するために、本発明の請求項１に記載の商品陳列棚の表示板取付装置は、互いに平行な複数の支柱に、上下複数段の棚板を支持させた商品陳列棚の表示板取付装置において、少なくとも上下に対向する一対の棚板について、上位置の棚板の前端部には、下方が開口する溝条が形成され、下位置の棚板の前端部には、上方が開口する溝条を設けるとともに、該上下の溝条に表示板の上端縁および下端縁を嵌合させたことを特徴としている。
この特徴によれば、表示板の上端縁および下端縁を上下の棚板の溝条に嵌合させ挟持させることができるので、表示板を商品陳列棚の棚板間の前面に安定して設けることができ、表示板の大きな表示面積を利用して多様な表示を実現できるとともに、上下の棚板間に表示板を設けない場合にも、商品陳列棚の正面からの美観が損なわれることがない。
【０００８】
本発明の請求項２に記載の商品陳列棚の表示板取付装置は、請求項１に記載の商品陳列棚の表示板取付装置であって、前記上位置の棚板の前端面には、前記下方に開口する溝条が形成された支持部材を設け、前記下位置の棚板の前端面には、前記上方に開口する溝条が形成された支持部材を設けたことを特徴としている。
この特徴によれば、上位置および下位置の棚板の前端面にそれぞれ支持部材を設けることで、従来からの商品陳列棚に対し複雑な加工を施すことなく適用でき、しかも上下の支持部材の対向面には各々溝条が形成されていることから、表示板を商品陳列棚の棚板間の最前面に安定して設けることができる。
【０００９】
本発明の請求項３に記載の商品陳列棚の表示板取付装置は、請求項１に記載の商品陳列棚の表示板取付装置であって、前記上位置および下位置の棚板の前端面には上下に開口する溝条が形成されることを特徴としている。
この特徴によれば、支持部材の上下に形成された溝条を利用して表示板の上下あるいは、その両位置に他の新たな表示板を追加保持させることができる。
【００１０】
本発明の請求項４に記載の商品陳列棚の表示板取付装置は、請求項２または３に記載の商品陳列棚の表示板取付装置であって、前記支持部材の上面を棚板の上面と面一に、前記支持部材の下面を棚板の下面よりも下方に突出させ、前記上下の溝条間と前記棚板の前端面をダボで結合させたことを特徴としている。
この特徴によれば、支持部材の上面と棚板の上面が面一になっているので、棚板に載置された商品の出し入れに支障をきたすことがないとともに、支持部材の下端を棚板の下面よりも下方に突出させることで、上下の溝条の間隔を広く確保できるので、容易に支持部材を棚板の前端面にダボ結合させることができ、ダボによる結合が外方に露出しないので正面からの美観も損なわれない。
【００１１】
上記課題を解決するために、本発明の請求項５に記載の商品陳列棚の表示板取付装置は、互いに平行な複数の支柱に、上下複数段の棚板を支持させた商品陳列棚の表示板取付装置において、前記棚板の前端面には、下方が開口する溝条が形成された支持部材を設けるとともに、該溝条に表示板の上端縁を嵌合させ固定したことを特徴としている。
この特徴によれば、表示板の大きさを任意に選択して、表示板の上端縁を支持部材の溝条に嵌合させ固定できるので、上下の棚板間の高さ範囲内で表示板のサイズを種々に選択できるとともに、表示板の表示面積に応じて多様な利用を行うことができ、かつ表示板を使用しない状態においても、商品陳列棚の正面からの美観を損なうことがない。
【００１２】
本発明の請求項６に記載の商品陳列棚の表示板取付装置は、請求項５に記載の商品陳列棚の表示板取付装置であって、前記表示板の下端縁に嵌合する上方が開口する溝条と、下方が開口する溝条が形成された連結部材を、前記表示板の下端縁に保持させたことを特徴としている。
この特徴によれば、表示板の下端縁に連結部材を保持させたことで、連結部材の下方の溝条に新たな表示板を保持させることが可能となり、表示内容に広がりをもたせることができる。
【００１３】
本発明の請求項７に記載の商品陳列棚の表示板取付装置は、請求項５または６に記載の商品陳列棚の表示板取付装置であって、前記支持部材の上面を棚板の上面と面一に、前記支持部材の下面を棚板の下面よりも下方に突出させ、前記上下の溝条間と前記棚板の前端面をダボで結合させたことを特徴としている。
この特徴によれば、支持部材の上面と棚板の上面が面一になっているので、棚板に載置された商品の出し入れに支障をきたすことがないとともに、支持部材の下端を棚板の下面よりも下方に突出させることで、上下の溝条の間隔を広く確保できるので、容易に支持部材を棚板の前端面にダボ結合させることができ、かつ表示板を使用しない状態においても、商品陳列棚の正面からの美観を損なうことがない。
【発明を実施するための最良の形態】
【００１４】
本発明の実施例を以下に説明する。
【実施例１】
【００１５】
図１は、本発明の表示板取付装置が適用された商品陳列棚の斜視図であり、図２（ａ）は、棚板に取り付けられる実施例１の表示板取付装置の分解組立斜視図であり、図２（ｂ）は、表示板取付装置の要部拡大側断面図である。この商品陳列棚は、主にスーパーやコンビニエンス・ストアー等の商品売り場に設置されており、商品陳列棚に複数の商品を数多く載置して、消費者が直に商品の取り出しを行えるようになっている。
【００１６】
実施例１を説明する前に、実施例１及び２が適用された本発明の商品陳列棚について、図１に基づき概略説明する。図１に示されるように、床面に木製の載置台９が設けられ、載置台９の後方に床面から上下方向に延びる金属スチール材で構成された支柱２が左右に一対にて所定間隔離間され設けられている。これら一対の両支柱２の間には、背面との空間の仕切りとして背面板８が設けられている。
【００１７】
支柱２には係合穴２ａが上下方向に複数形成されており、仕切パネル７の所定の高さ位置には、上下方向に木製の棚板５が複数段（本実施例では５段）設けられている。この棚板５の下端面の両側部には、金属スチール製のブラケット４が取り付けられ、このブラケット４を支柱２の係合穴２ａに係止することで棚板５が固定され、棚板５上に複数の商品２１が陳列されと共に、これら商品２１の種類毎に商品説明等が記載された表示カード２２が載置されている。
【００１８】
商品陳列棚１の上部から一段目（天井棚）と二段目の棚板５の前端面には、後述の実施例１の説明における支持部材１０が設けられ、上位置の支持部材１０と下位置の支持部材１０の間にアクリル樹脂からなるプラスチック製の表示板１８が設けられている。三段目と四段目の棚板５の前端面には、後述の実施例２の説明における支持部材１０’が設けられ、それぞれの支持部材１０’の下端にアクリル樹脂からなるプラスチック製の表示板１９が設けられ、この表示板１９の下端に支持部材１０’’が保持されている。
【００１９】
各表示板１８、１９には商品のＰＲや値段、商品名、図等のデザインが多様に施され表示面積が有効に利用されている。以下、本実施例の棚板５の説明において、棚板５の正面側を前方とし、棚板５の背面側を後方とし、棚板５の両側方向を左右方向として説明する。
【００２０】
次に、本発明の実施例１を図２に基づいて説明する。まず、表示板１８の取り付けについて具体的に説明すると、図２（ａ）に示されるように、上位置および下位置の棚板５は、ブラケット４の後端に形成された係合片４ａと支柱２の係合穴２ａへの係合によって、しっかりと位置固定されており、上位置の前端面５ａの左右方向に沿って支持部材１０が設けられ、同様に下位置の前端面５ａの左右方向に沿って支持部材１０が設けられており、上下の支持部材１０間に挟持されるように表示板１８が取り付けられている。
【００２１】
具体的には、図２（ｂ）に示されるように、上位置および下位置の棚板５の前端面５ａには、ダボ穴５ｂが後方に向けて形成されており、このダボ穴５ｂに木製のダボ６が挿し込まれ、前端面５ａから前方に突設させて取り付けられている。支持部材１０の上部には上方に向けて開口する溝条１１が形成され、下部には下方に向けて開口する溝条１２が形成されており、溝条１２の溝の深さは溝条１１よりも深く形成されている。溝条１１と溝条１２の間隔幅には後方に向けて開口するダボ穴１３が形成されている。
【００２２】
上位置および下位置の棚板５の前端面５ａに設けられたダボ６に支持部材１０のダボ穴１３を嵌合させることで、確実に支持部材１０が位置固定され取り付けられる。このように、支持部材１０がダボ６に取り付けられた状態においては、支持部材１０の上面が棚板５の上面と面一になっていて、棚板５に載置された商品２１の出し入れが円滑に行われる。
【００２３】
一方、支持部材１０の下面が棚板５の下面よりも下方に突出した状態で取り付けられており、下の溝条１２の溝を深く形成できると共に、ダボ穴１３の形成スペースを確保している。
【００２４】
次いで、表示板１８の取り付けを行うには、まず支持板１８の上端縁を上位置の支持部材１０の溝条１２内に嵌合させ挿し込んでいき、支持板１８を持ち上げながら支持板１８の下端縁を下位置の支持部材１０の溝条１１位置に合わせて、落とし込こむことで支持板１８の下端が溝条１１に嵌合され取り付けられる。
【００２５】
表示板１８を取り外す際には、表示板１８を上方に持ち上げつつ、支持板１８の下端を溝条１１から外すことで取り外せるようになっており、表示板１８の取り付けおよび取り外しにはケンドン方式（持ち上げて取り付ける、持ち上げてはずす）が採用されている。なお、表示板１８を上下の棚板５間に取り付けない場合には、支持部材１０の上下に溝条１１、１２が形成されているだけで取付手段（ネジや係合穴等）が露出していないので、商品陳列棚１の正面からの美観が損なわれることがない。
【００２６】
以上の説明により実施例１では、上位置および下位置の棚板５の前端面５ａにそれぞれ支持部材１０を設けることで、従来からの商品陳列棚１に対し複雑な加工を施すことなく適用でき、しかも上下の支持部材１０の対向面には各々溝条１２、１１が形成されていることから、表示板１８を商品陳列棚１の棚板５間の最前面に容易に取付取り外しができ、表示板１８の大きな表示面積を利用して多様な表示を実現できる。
【００２７】
また、支持部材１０の上下部には溝条１１、１２が形成されているので、上下のどの棚板間に対応しても適用可能であり、この溝条１１、１２を利用して、表示板１８の上または下あるいは、その両位置に他の新たな表示板を追加保持させることもできる。そして、表示板１８によって正面から隠蔽された棚板上の空間部は、ストック用品等の置き場所として利用できる。
【実施例２】
【００２８】
次に、本発明の実施例２を図３に基づいて説明する。図３（ａ）は、棚板に設けられる実施例２の表示板取付装置の分解組立斜視図であり、図３（ｂ）は、表示板取付装置の要部拡大側断面図である。
【００２９】
なお、以下の実施例２において前述の実施例１と同様の構造部分に関しては、同一の符号を付すことにより詳細な説明は省略することにする。図３（ａ）に示されるように、上位置の棚板５の前端面５ａの左右方向に沿って、上記した支持部材１０と略同一構造の支持部材１０’が設けられ、支持部材１０’の下部に表示板１９の上端縁がネジ１７で取り付けられ、表示板１９の下端縁に沿って、支持部材１０’’がネジ１７で取り付けられている。支持部材１０’’は棚板５に取り付けられた支持部材１０’を上下反転させたものであるので詳しい説明は割愛する。
【００３０】
表示板１９および支持部材１０’の取り付けについて具体的に説明すると、図３（ｂ）に示されるように、支持部材１０’には後方から前方に向けてネジ孔１０ａ’が形成されている。先ず表示板１９の上端縁を支持部材１０’の溝条１２に嵌合させ、ネジ１７をネジ孔１０ａ’に挿通させ螺合させることで、表示板１９が位置固定され吊持される。そして、表示板１９の下端縁に支持部材１０’’の溝条１１を嵌合させ、ネジ１７をネジ孔１０ａ’’に挿通させ螺合させることで表示板１９に支持部材１０’’を保持させ、表示板１９の下端が直接露出しないように端部処理がなされる。
【００３１】
以上の説明により実施例２では、上位置の棚板５の前端面５ａに設けられた支持部材１０’に表示板１９を取り付けることにより、下位置の棚板５に商品２１を載置させた状態で、表示板１９の大きさを任意に選択して、上下の棚板５間の高さ範囲内で表示板１９のサイズを種々に選択して、表示板１９の表示面積に応じた多様な利用を行うことができる。
【００３２】
次に、本発明の実施例２の変形例を図４に基づいて説明する。図４（ａ）は、図３に示された実施例２の表示板取付装置の変形例を示す斜視図であり、図４（ｂ）は、その表示板取付装置の要部拡大側断面図である。なお、以下の実施例２の変形例において前述の実施例２と同様の構造部分に関しては、同一の符号を付すことにより詳細な説明は省略することにする。
【００３３】
上記実施例２の変形例として、図４（ａ）に示されるように、上位置および下位置の棚板５の前端面５ａに設けられた支持部材１０’間には、上下方向に複数（本実施例では３枚）の表示板１９が設けられ、上下の表示板１９の間には左右方向に沿って連結部材１４が設けられている。
【００３４】
表示板１９および連結部材１４の取り付けについて具体的に説明すると、図４（ｂ）に示されるように、連結部材１４には上方に開口する溝条１５および下方に開口する溝条１６が形成され、上下にネジ孔１４ａ、１４ｂが形成されている。
【００３５】
そこで、上位置の棚板５の支持部材１０’に取り付けられた表示板１９の下端縁には、連結部材１４の溝条１５が嵌合され、ネジ１７をネジ孔１４ａに挿通させ螺合させることで表示板１９に連結部材１４を保持させる。この連結部材１４の溝条１６に新たな表示板１９の上端縁を挿し込み嵌合させ、ネジ１７をネジ孔１４ｂに挿通させ螺合させることで、新たな表示板１９が位置固定され吊持される。同様にして、新たな表示板１９の下端縁に新たな連結部材１４を連結させる。新たな連結部材１４と下位置の棚板５の支持部材１０’間には、前記実施例１で説明したケンドン方式で表示板１９が取り付けられている。
【００３６】
以上の説明により実施例２の変形例では、表示板１９の下端縁に連結部材１４を保持させて、連結部材１４の下方の溝条１６に新たな表示板１９を保持させることができるので、表示内容に広がりをもたせることができ、さらに新たな連結部材１４を設けることで、複数段の表示板１９を棚板５、５間に設けることができ、必要に応じて図４（ａ）に示すように、棚間全体を表示板１９で覆うことも可能である。
【実施例３】
【００３７】
次に、本発明の実施例３を図５に基づいて説明する。図５は、本発明の実施例３における表示板取付装置が適用された商品陳列棚の斜視図である。なお、以下の実施例３において前述の実施例１と同様の構造部分に関しては、同一の符号を付すことにより詳細な説明は省略することにする。
【００３８】
図５に示されるように、商品陳列棚１’の複数段に設けられた棚板５間には、前記実施例１で説明した表示板９を持ち上げて取り付けるケンドン方式で、上方より表示板１８、表示板２０、表示板２０が取り付けられている。表示板２０は縦長に形成されており、上位置の棚板５と下位置の棚板５の左右を区画して、商品２１毎に区画が行われ表示板２０の表示面積も有効に利用されている。
【００３９】
実施例３では、上位置の棚板５と下位置の棚板５間に縦長の表示板２０を設けることで、商品陳列棚１’の多種多様な利用方法を提供することができ、例えば、表示板２０そのものにデザインを施して、顧客に商品２１を注目させるようにすることもできる。
【実施例４】
【００４０】
次に、本発明の実施例４を図６に基づいて説明する。図６は、本発明の実施例４における表示板取付装置が適用された商品陳列棚の要部拡大断面図である。なお、以下の実施例４において前述の実施例１と同様の構造部分に関しては、同一の符号を付すことにより詳細な説明は省略することにする。
【００４１】
本実施例１〜３においては、棚板５の前端面５ａに支持部材１０、１０’や連結部材１４を設けて、これらの間に表示板１８、１９を取り付けることで、できる限り表示板１８、１９を商品陳列棚１、１’の最前面に設けるようにしていた事から好ましいが、本発明はこれに限定されるものではなく、図６に示されるように、上位置の棚板５の前端部５ｃに下方に開口する溝条５ｄを形成させるとともに、下位置の棚板５の前端部５ｃに上方に開口する溝条５ｅを形成させて、表示板１８を上下の溝条５ｄおよび溝条５ｅ間に前記実施例１で説明した表示板９を持ち上げて取り付けるケンドン方式で嵌合させ取り付けるようにしても良い。
【００４２】
これにより実施例４では、表示板１８の上端縁および下端縁を上下の棚板５の溝条５ｄ、５ｅに嵌合させ挟持させることができるので、表示板１８を棚板５間の前面に安定して設けることができ、表示板１８の大きな表示面積を利用して多様な表示を実現できるとともに、上下の棚板５間に表示板１８を設けない場合においても、商品陳列棚の正面からの美観が損なわれることがない。
【００４３】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、ダボ６を用いて支持部材１０、１０’を棚板５の前端面５ａに取り付けることで、棚板５と支持部材１０、１０’との着脱を行えることから好ましいが、本発明はこれに限定されるものではなく、支持部材１０、１０’を接着剤等で棚板５の前端面５ａに固着して取り付けても良い。また、ネジ１７を用いた支持部材１０、１０’と表示板１９との取り付けについても、ネジを用いることなく接着剤等で支持部材１０、１０’に表示板１９を固着させても良い。
【００４４】
また、上記実施例において、表示板１８、１９が取り付けられた上位置の棚板５の下面に照明等を設けるようにしても良く、このようにすれば下位置の棚板５に載置された複数の商品２１に照明を当てることができるとともに、表示板１０を外部に透光させることも可能となる。
【図面の簡単な説明】
【００４５】
【図１】本発明の表示板取付装置が適用された商品陳列棚の斜視図である。
【図２】（ａ）は、棚板に取り付けられる実施例１の表示板取付装置の分解組立斜視図であり、（ｂ）は、表示板取付装置の要部拡大側断面図である。
【図３】（ａ）は、棚板に設けられる実施例２の表示板取付装置の分解組立斜視図であり、（ｂ）は、表示板取付装置の要部拡大側断面図である。
【図４】（ａ）は、図３に示された実施例２の表示板取付装置の変形例を示す斜視図であり、（ｂ）は、表示板取付装置の要部拡大側断面図である。
【図５】本発明の実施例３における表示板取付装置が適用された商品陳列棚の斜視図である。
【図６】本発明の実施例４における表示板取付装置が適用された商品陳列棚の要部拡大断面図である。
【符号の説明】
【００４６】
１、１’              商品陳列棚
２                    支柱
２ａ                  係合穴
３                    側面板
４                    ブラケット
４ａ                  係合片
５                    棚板
５ａ                  前端面
５ｂ                  ダボ穴
５ｃ                  前端部
５ｄ、５ｅ            溝条
６                    ダボ
７                    側面板
８                    背面板
９                    載置台
１０、１０’、１０’’  支持部材
１０ａ’、１０ａ’’    ネジ孔
１１、１２            溝条
１３                  ダボ穴
１４                  連結部材
１４ａ、１４ｂ        ネジ孔
１５、１６            溝条
１７                  ネジ
１８                  表示板
１９                  表示板
２０                  表示板
２１                  商品
２２                  表示カード
【図１】
2006025955.tif 000003
【図２】
2006025955.tif 000004
【図３】
2006025955.tif 000005
【図４】
2006025955.tif 000006
【図５】
2006025955.tif 000007
【図６】
2006025955.tif 000008